【手続補正書】
【提出日】平成31年3月22日(2019.3.22)
【手続補正１】
【補正対象書類名】明細書
【補正対象項目名】００５８
【補正方法】変更
【補正の内容】
【００５８】
第１ビット（１ｓｔビット）は、温度ＴＭＰ１６の大小を判定するビットである。例えば、ＮＡＮＤ型フラッシュメモリ１００の温度が温度ＴＭＰ１６よりも低い場合は、“０”となる。また、ＮＡＮＤ型フラッシュメモリ１００の温度が温度ＴＭＰ１６よりも高い場合は、“１”となる。
【手続補正２】
【補正対象書類名】明細書
【補正対象項目名】００５９
【補正方法】変更
【補正の内容】
【００５９】
第２ビット（２ｎｄビット）は、温度ＴＭＰ８、または温度ＴＭＰ２４の大小を判定するビットである。例えば、ＮＡＮＤ型フラッシュメモリ１００の温度が温度ＴＭＰ８、または温度ＴＭＰ２４よりも低い場合は、”０”となる。また、ＮＡＮＤ型フラッシュメモリ１００の温度が温度ＴＭＰ８、または温度ＴＭＰ２４よりも高い場合は、”１”となる。
【手続補正３】
【補正対象書類名】明細書
【補正対象項目名】００６０
【補正方法】変更
【補正の内容】
【００６０】
第３ビット（３ｒｄビット）は、温度ＴＭＰ４、温度ＴＭＰ１２、温度ＴＭＰ２０、及び温度ＴＭＰ２８の中から選択された１つの温度の大小を判定するビットである。例えば、ＮＡＮＤ型フラッシュメモリ１００の温度が、温度ＴＭＰ４、温度ＴＭＰ１２、温度ＴＭＰ２０、及び温度ＴＭＰ２８の中から選択された１つの温度よりも低い場合は、”０”となる。また、ＮＡＮＤ型フラッシュメモリ１００の温度が温度ＴＭＰ４、温度ＴＭＰ１２、温度ＴＭＰ２０、及び温度ＴＭＰ２８の中から選択された１つの温度よりも高い場合は、”１”となる。
【手続補正４】
【補正対象書類名】明細書
【補正対象項目名】００６１
【補正方法】変更
【補正の内容】
【００６１】
第４ビット（４ｔｈビット）は、温度ＴＭＰ２、温度ＴＭＰ６、温度ＴＭＰ１０、温度ＴＭＰ１４、温度ＴＭＰ１８、温度ＴＭＰ２２、温度ＴＭＰ２６、及び温度ＴＭＰ３０の中から選択された１つの温度の大小を判定するビットである。例えば、ＮＡＮＤ型フラッシュメモリ１００の温度が温度ＴＭＰ２、温度ＴＭＰ６、温度ＴＭＰ１０、温度ＴＭＰ１４、温度ＴＭＰ１８、温度ＴＭＰ２２、温度ＴＭＰ２６、及び温度ＴＭＰ３０の中から選択された１つの温度よりも低い場合は、”０”となる。また、ＮＡＮＤ型フラッシュメモリ１００の温度が温度ＴＭＰ２、温度ＴＭＰ６、温度ＴＭＰ１０、温度ＴＭＰ１４、温度ＴＭＰ１８、温度ＴＭＰ２２、温度ＴＭＰ２６、及び温度ＴＭＰ３０の中から選択された１つの温度よりも高い場合は、”１”となる。
【手続補正５】
【補正対象書類名】明細書
【補正対象項目名】００６２
【補正方法】変更
【補正の内容】
【００６２】
第５ビット（５ｔｈビット）は、温度ＴＭＰ１、温度ＴＭＰ３、温度ＴＭＰ５、温度ＴＭＰ７、温度ＴＭＰ９、温度ＴＭＰ１１、温度ＴＭＰ１３、温度ＴＭＰ１５、温度ＴＭＰ１７、温度ＴＭＰ１９、温度ＴＭＰ２１、温度ＴＭＰ２３、温度ＴＭＰ２５、温度ＴＭＰ２７、温度ＴＭＰ２９、及び温度ＴＭＰ３１の中から選択された１つの温度の大小を判定するビットである。例えば、ＮＡＮＤ型フラッシュメモリ１００の温度が温度ＴＭＰ１、温度ＴＭＰ３、温度ＴＭＰ５、温度ＴＭＰ７、温度ＴＭＰ９、温度ＴＭＰ１１、温度ＴＭＰ１３、温度ＴＭＰ１５、温度ＴＭＰ１７、温度ＴＭＰ１９、温度ＴＭＰ２１、温度ＴＭＰ２３、温度ＴＭＰ２５、温度ＴＭＰ２７、温度ＴＭＰ２９、及び温度ＴＭＰ３１の中から選択された１つの温度よりも低い場合は、”０”となる。また、ＮＡＮＤ型フラッシュメモリ１００の温度が温度ＴＭＰ１、温度ＴＭＰ３、温度ＴＭＰ５、温度ＴＭＰ７、温度ＴＭＰ９、温度ＴＭＰ１１、温度ＴＭＰ１３、温度ＴＭＰ１５、温度ＴＭＰ１７、温度ＴＭＰ１９、温度ＴＭＰ２１、温度ＴＭＰ２３、温度ＴＭＰ２５、温度ＴＭＰ２７、温度ＴＭＰ２９、及び温度ＴＭＰ３１の中から選択された１つの温度よりも高い場合は、”１”となる。
【手続補正６】
【補正対象書類名】明細書
【補正対象項目名】００６４
【補正方法】変更
【補正の内容】
【００６４】
図３を用いて、ＮＡＮＤ型フラッシュメモリ１００の温度が温度ＴＭＰＡである時のサンプリング動作方法について概略的に説明する。サンプリング動作時において、逐次比較レジスタ１０６ｂは、ディジタルアナログ変換回路１０６ｃに、温度ＴＭＰ１６に基づく電圧を生成させる。そして、図３に示すように、温度ＴＭＰＡは、温度ＴＭＰ１６よりも低い。そのため、逐次比較レジスタ１０６ｂに“Ｌ”レベルの信号ＶＣ３が供給される。これにより、逐次比較レジスタ１０６ｂは、第１ビットを”０”と判定する。逐次比較レジスタ１０６ｂは、第１ビットを”０”と判定したので、温度ＴＭＰＡと、温度ＴＭＰ８との大小を比較する。温度ＴＭＰＡは、温度ＴＭＰ８よりも低い。そのため、逐次比較レジスタ１０６ｂは、第２ビットを”０”と判定する。逐次比較レジスタ１０６ｂは、第１ビット及び第２ビットを”０”と判定したので、温度ＴＭＰＡと、温度ＴＭＰ４との大小を比較する。温度ＴＭＰＡは、温度ＴＭＰ４よりも低い。そのため、逐次比較レジスタ１０６ｂは、第３ビットを”０”と判定する。逐次比較レジスタ１０６ｂは、第１ビット〜第３ビットを”０”と判定したので、温度ＴＭＰＡと、温度ＴＭＰ２との大小を比較する。温度ＴＭＰＡは、温度ＴＭＰ２よりも高い。そのため、逐次比較レジスタ１０６ｂは、第４ビットを”１”と判定する。逐次比較レジスタ１０６ｂは、第１ビット〜第３ビットを”０”、第４ビットを”１”と判定したので、温度ＴＭＰＡと、温度ＴＭＰ３との大小を比較する。温度ＴＭＰＡは、温度ＴＭＰ３よりも高い。そのため、逐次比較レジスタ１０６ｂは、第５ビットを”１”と判定する。以上のようにして、逐次比較レジスタ１０６ｂは、温度ＴＭＰＡは、温度ＴＭＰ３と温度ＴＭＰ４との間であることを判定し、その判定結果として、「０００１１」というディジタルコードを得ることが出来る。
【手続補正７】
【補正対象書類名】明細書
【補正対象項目名】００６５
【補正方法】変更
【補正の内容】
【００６５】
更なる具体例として、ＮＡＮＤ型フラッシュメモリ１００の温度が温度ＴＭＰＢである時のサンプリング動作方法について説明する。温度ＴＭＰＢは、温度ＴＭＰ１６よりも高い。そのため、逐次比較レジスタ１０６ｂは、第１ビットを”１”と判定する。逐次比較レジスタ１０６ｂは、第１ビットを”１”と判定したので、温度ＴＭＰＢと、温度ＴＭＰ２４との大小を比較する。温度ＴＭＰＢは、温度ＴＭＰ２４よりも低い。そのため、逐次比較レジスタ１０６ｂは、第２ビットを”０”と判定する。逐次比較レジスタ１０６ｂは、第１ビットを”１”、第２ビットを”０”と判定したので、温度ＴＭＰＢと、温度ＴＭＰ２０との大小を比較する。温度ＴＭＰＢは、温度ＴＭＰ２０よりも高い。そのため、逐次比較レジスタ１０６ｂは、第３ビットを”１”と判定する。逐次比較レジスタ１０６ｂは、第１ビット、及び第３ビットを”１”、第２ビットを”０”と判定したので、温度ＴＭＰＢと、温度ＴＭＰ２２との大小を比較する。温度ＴＭＰＢは、温度ＴＭＰ２２よりも低い。そのため、逐次比較レジスタ１０６ｂは、第４ビットを”０”と判定する。逐次比較レジスタ１０６ｂは、第１ビット及び第３ビットを”１”、第２ビット及び第４ビットを”０”と判定したので、温度ＴＭＰＢと、温度ＴＭＰ２１との大小を比較する。温度ＴＭＰＢは、温度ＴＭＰ２１よりも高い。そのため、逐次比較レジスタ１０６ｂは、第５ビットを”１”と判定する。以上のようにして、逐次比較レジスタ１０６ｂは、温度ＴＭＰＢは、温度ＴＭＰ２１と温度ＴＭＰ２２との間であることを判定し、その判定結果として、「１０１０１」というディジタルコードを得ることが出来る。
【手続補正８】
【補正対象書類名】図面
【補正対象項目名】図３
【補正方法】変更
【補正の内容】
【図３】
2018156718.tif 000001